(57)【特許請求の範囲】
【請求項１】
複数個のディスクカートリッジ（Ｍ）を起立姿勢で左右方向へ並列状に収容する箱状のケース本体（１０）と、ケース本体（１０）の上面および前面に被さってケース本体（１０）の出入口（１１）を開閉する蓋（１２）とを備えており、
蓋（１２）は、ケース本体（１０）の前面下部寄りに設けた軸（２３）を中心にして揺動開閉自在に支持されており、
蓋（１２）は、その前壁（２０）の下端に連続してケース後方へ一体に延出形成した押上げ壁（２２）を備えており、
ケース本体（１０）は、その底壁（１５）の前端部に前記押上げ壁（２２）を受け入れる開口（３０）を形成してあって、蓋（１２）を閉じた状態においては、前記押上げ壁（２２）がケース本体（１０）の底壁（１５）と面一になってディスクカートリッジ（Ｍ）の底面の前部と対向しており、
蓋（１２）を開き位置まで開いて出入口（１１）を開放した状態においては、ディスクカートリッジ（Ｍ）が前記押上げ壁（２２）でケース本体（１０）の底壁（１５）の上方へ押し上げ操作されることを特徴とするディスクカートリッジ用の保管ケース。
【請求項２】
ケース本体（１０）の内部に、ディスクカートリッジ（Ｍ）を起立姿勢に保持する複数の区分壁（１７）が突設されており、
押上げ壁（２２）の前後長さが、左右幅方向において大小に異なるよう寸法設定されている請求項１記載のディスクカートリッジ用の保管ケース。
【請求項３】
押上げ壁（２２）の前後長さが、左右幅方向の一側から他側にわたって逓増してある請求項１又は２記載のディスクカートリッジ用の保管ケース。
【請求項４】
ケース本体（１０）が、左右一対の側壁（１３）と、両側壁（１３）を繋ぐ後壁（１４）および底壁（１５）と、両側壁（１３）の間に架設されてディスクカートリッジ（Ｍ）の前後遊動を後壁（１４）と協同して規制する前規制壁（３５）とを備えており、蓋（１２）を全開操作した状態において、ディスクカートリッジ（Ｍ）を押上げ壁（２２）で収容姿勢とほぼ平行な状態で持ち上げ操作できる請求項１又は２又は３記載のディスクカートリッジ用の保管ケース。
【発明の詳細な説明】
【０００１】
【発明の属する技術分野】
本発明はＭＤ、ＭＯ等の光磁気ディスクに代表されるディスクカートリッジを収納対象とする保管ケースに関する。
【０００２】
【従来の技術】
この種の保管ケースとして、フロッピーディスク（呼称3.５インチ）用に各種形態のものが市販されている。その保管ケースのひとつは、上面に出入口が開口するケース本体と、ケース本体に揺動開閉自在に軸支されて出入口を揺動開閉する蓋とで構成してあり、ケース本体の内部に各フロッピーディクを斜め後方に傾斜する姿勢に支持する数個の仕切体が設けてある。これによれば、ケース内に収容したフロッピーディスクは、仕切体にもたれかかる状態で斜めに支持されており、従って多数個のフロッピーディスクを前後に重なる状態で収容しても、個々のフロッピーディスクの判別やケース外への取り出しを容易に行えるものとなっている。
【０００３】
【発明が解決しようとする課題】
上記のように、ディスクカートリッジを厚み方向へ傾斜する状態で収容する保管ケースは、各カートリッジを選別し一個ずつ取り出すのに適しているが、収容した全てのカートリッジが一方向へ傾斜しているので、保管ケースの大きさの割に収容可能なディスクカートリッジの数が小さい。
【０００４】
ディスクカートリッジの収容個数を増やすには、各カートリッジを垂直の起立姿勢で左右並列状に並べるのが最も効果的で無駄がない。しかし、ディスクカートリッジの厚み寸法が小さいので、多数個のディスクカートリッジを左右並列状に収納した状態では、列中の一個だけを列外へ抜き出すのが難しく、ディスクカートリッジの保管ケースからの取り出し操作が煩わしい。ケース内に収容したディスクカートリッジの数が少ない場合に、各カートリッジが起立できずにケース底へ倒れる込む不利もある。
【０００５】
本発明の目的は、より多くのディスクカートリッジを略垂直の起立姿勢で左右並列状に保管でき、しかも一群のディスクカートリッジの中から、目的のディスクカートリッジを一個ずつでもケース外へ簡単に取り出せる保管ケースを提供することにある。
本発明の他の目的は、蓋を開いた状態において一群のディスクカートリッジをケース底壁の上方へ持ち上げ操作でき、しかも隣接するディスクカートリッジを段違い状に持ち上げて、個々のディスクカートリッジをケース外へ容易に取り出せるようにした保管ケースを提供することにある。
【０００６】
【課題を解決するための手段】
本発明の保管ケースは、複数個のディスクカートリッジＭを起立姿勢で左右並列状に収容する箱状のケース本体１０と、ケース本体１０の上面および前面に被さって出入口１１を開閉する蓋１２とを備えている。蓋１２はケース本体１０の出入口１１の前面下部寄りに設けた軸２３を中心にして揺動開閉自在に支持する。ケース本体１０に収容したディスクカートリッジＭの底面の過半前部と対向する押上げ壁２２が、蓋１２の底部に後ろ向きに延出形成されている。以て、蓋１２を開き位置まで開いて出入口１１を開放した状態において、ディスクカートリッジＭを押上げ壁２２でケース本体１０の底壁１５の上方へ押し上げ操作できるようにしたものである。押し上げ時のディスクカートリッジＭの姿勢は、図１に示すように前上り傾斜姿勢にする場合と、図４に示すように収容姿勢とほぼ平行な姿勢にする場合とがある。
【０００７】
具体的には、図２に示すごとくケース本体１０の内部に、ディスクカートリッジＭを起立姿勢に保持する複数の区分壁１７を突設する。前後方向に延びる各区分壁１７は左右方向に一定間隔置きに並べて、隣接する区分壁１７間にディスクカートリッジＭを一個ずつ嵌め込めるようにすることができる。押上げ壁２２の前後長さ（後方突出長さ）は、左右幅方向において大小に異なるよう設定する。具体的には、押上げ壁２２の前後長さを左右幅方向の一側から他側にわたって逓増する。
【０００８】
ケース本体１０は、例えば図４に示すように、左右一対の側壁１３と、両側壁１３を繋ぐ後壁１４および底壁１５と、両側壁１３の間に架設されてディスクカートリッジＭの前後遊動を後壁１４と協同して規制する前規制壁３５とを備えたものとすることができる。以て、蓋１２を全開操作した状態において、ディスクカートリッジＭを押上げ壁２２で収容姿勢とほぼ平行に持ち上げ操作できるようにする。
【０００９】
【作用】
蓋１２を開き操作して出入口１１を開放した状態においては、ディスクカートリッジＭの底面を、蓋１２に設けた押上げ壁２２の後端で持ち上げ操作して底壁１５の上方へ浮上できるので、個々のディスクカートリッジＭの上下面のいずれかに指先を掛けて列外へずらしながら、ケース外へ簡単に取り出すことができる。ディスクカートリッジＭをケース本体１０の内部に起立姿勢で左右並列状に収容するので、前後に並べた傾斜姿勢でディスクカートリッジを収容する保管ケースに比べて、より多くのディスクカートリッジＭをケース内に収容できる。
【００１０】
ケース本体１０の内部に複数の区分壁１７を突設すると、ディスクカートリッジＭをほぼ垂直に起立保持し、ケース内に少数のディスクカートリッジＭを収容する場合にも、ディスクカートリッジＭがケース底側へ倒れ込むのを防止できる。押上げ壁２２の前後長さを左右幅方向において大小に異なるよう設定すると、隣接するディスクカートリッジＭの押し上げ高さが変わるので、各ディスクカートリッジＭを取り出し操作する際に、指先が隣のディスクカートリッジＭに掛かるのを極力避けて、その取り出しをさらに容易化できる。押上げ壁２２の前後長さを一側から他側へと逓増させておけば、図３に示すように隣接する一群のディスクカートリッジＭの前部を階段状に突出させることができる。
【００１１】
図４ないし図６に示すように、ケース前面に後壁１４と協同してディスクカートリッジＭの前後遊動を規制する前規制壁３５を設けた保管ケースによれば、押上げ壁２２で昇降操作されるディスクカートリッジＭを、前規制壁３５と後壁１４とで傾動規制しながらスライド案内できるので、ディスクカートリッジＭを収容時の姿勢とほぼ平行に持ち上げ操作できる。
【００１２】
【実施例】
（実施例１）
図１ないし図３は本発明に係る保管ケースの実施例を示しており、光磁気ディスクの一種であるディスクカートリッジ（ミニディスク＝ＭＤ）を収納対象としている。図１において、ディスクカートリッジＭは薄い角箱状の本体ケース１の内部にディスク２を収容し、本体ケース１の表裏両面に開口したピックアップ窓３をシャッター４でスライド開閉できる。ケース裏面の中央には、駆動軸挿入穴５が開口しており、この穴５に面してディスク２を回転駆動させるためのハブ６が配置してある。ケース周縁壁には、図３に示すようにラベル７を貼り付けるための浅い凹みと、誤消去防止用のプロテクトノッチ８とが設けてある。
【００１３】
保管ケースは箱状のケース本体１０と、ケース本体１０の出入口１１を揺動開閉する蓋１２とで構成してあり、図示例ではケース本体１０の内部に１０個のディスクカートリッジＭを起立姿勢で左右並列状に収容できる。
【００１４】
図２においてケース本体１０は、左右一対の側壁１３と、両側壁１３どうしを繋ぐ後壁１４および底壁１５とを一体に形成した透明のプラスチック成形品からなり、その上面および前面がそれぞれ出入口１１として開口している。底壁１５の上面には、各ディスクカートリッジＭを個別にそれぞれ略垂直に起立保持する多数の区分壁１７が、一定間隔置きに側壁１３と平行に立設してある。ケース本体１０の前後内法寸法、および上下内法寸法は、それぞれディスクカートリッジＭの前後寸法および上下寸法より僅かに大きく設定しておく。従って、ディスクカートリッジＭは、これをケース本体１０に左右並列状に収容した状態において、前後および上下方向にそれぞれ遊動できる。
【００１５】
蓋１２は、ケース本体１０の出入口１１を塞ぐ上壁１９および前壁２０と、左右一対の側壁２１と、前壁２０および両側壁２１の下端に連続してケース後方へ一体に延出形成した押上げ壁２２とを一体に形成した透明のプラスチック成形品からなる。両側壁２１の外面左右間隔は、ケース本体１０の両側壁１３の内面左右間隔より僅かに小さく寸法設定してある。蓋１２を揺動開閉自在に支持するために、ケース本体１０の両側壁１３の前面下部寄りに軸２３をそれぞれ対向状に突設し、この軸２３で蓋１２の両側壁２１に通設した軸受穴２４を軸支している。蓋１２を閉じた状態において、その上壁１９と前壁２０とは出入口１１を塞いで、ケース本体１０と協同して直方体状の収容空間を画成する。
【００１６】
蓋１２は上記の閉じ位置から、軸２３を中心にして９０度開放操作できる。この開放限界を規定するために、ケース本体１０の各側壁１３の内面に円形の凹部２５を形成する。さらに、蓋１２の各側壁２１の外面に、凹部２５に落ち込み係合する円形の突起２６を形成する。蓋１２の上壁１９の外側上面と、ケース本体１０の両側壁１３の外側面には、蓋１２を開放操作する際のすべり止めとして指掛部２７・２８がそれぞれ設けてある。
【００１７】
蓋１２の開き動作を利用して、ケース内に収容したディスクカートリッジＭを底壁１５の上方へ前上り傾斜姿勢に持ち上げ操作し、その取り出しを容易化するために、蓋１２の底部に前記押上げ壁２２を設ける。この押上げ壁２２は、蓋１２を閉じた状態において、ケース本体１０の底壁１５と面一になるよう後ろ向きに突設されており、その上面がディスクカートリッジＭの底面の前部と対向している。すなわち、蓋１２を閉じた収容状態において、内部のディスクカートリッジＭは、下端前部が押上げ壁２２の上面を跨いだ状態下にある。
【００１８】
押上げ壁２２の前後長さは、左右方向の一側から他側にわたって逓増し、閉じ状態の平面視でその後端縁を傾斜させてある。これにより、図３に示すようにディスクカートリッジＭを押し上げた状態において、隣接するディスクカートリッジＭの上面が階段状に出入口１１から突出し、以て個々のディスクカートリッジＭの取り出しの容易化を図っている。また、ラベル７が貼ってあるケース周面を斜め上向きに傾斜させて、タイトルやファイル名などのラベル表示を見やすくできる。なお、ケース本体１０の底壁１５には、前端部に押上げ壁２２を受け入れる開口３０を形成してあり、図２に示すごとく蓋１２の閉じ状態において押上げ壁２２の後端縁と底壁１５の前端縁とが接合ないし近接対向している。
【００１９】
（実施例２）
図４ないし図６に保管ケースの別の実施例を示す。この実施例におけるケース本体１０は、図６に示すように左右一対の側壁１３と、両側壁１３どうしを繋ぐ後壁１４および底壁１５とを有し、両側壁１３の前縁寄り上半部に側壁１３どうしを繋ぐ前規制壁３５を備えていて、上面側の開口を出入口１１としている。前規制壁３５と後壁１４の前後間隔は、ディスクカートリッジＭの前後寸法より僅かに大きく設定する。両側壁１３の上下高さはディスクカートリッジＭの上下高さより小さく設定してある。従って、ケース内に収められたディスクカートリッジＭの上部は出入口１１から突出する（図５参照）。但し、後壁１４の上下高さはディスクカートリッジＭの上下高さより僅かに大きく設定してある。区分壁１７は後壁１４と前規制壁３５の内面のそれぞれに前後対向状に突設する。
【００２０】
蓋１２は、ケース本体１０の出入口１１の上方を覆う上壁１９と、前規制壁３５の前部外面を覆う前壁２０と、ケース本体１０の側壁１３に連続して出入口１１より上方の両側面を覆う側壁２１とを有し、先の実施例１と同様に、前壁２０の下端から後向きに押上げ壁２２を突設し、その後縁を一側から他側へ向かって逓増してある。上壁１９と前壁２０の内面隅部には、区分壁１７の突設位置に対応して補強体を兼ねるリブ３６を突設する。このリブ３６も区分壁として作用する。
【００２１】
蓋１２を閉じて出入口１１を閉止した状態において、ディスクカートリッジＭは左右並列状に起立保持されている。また、蓋１２の側壁２１に設けた接合壁２１ａは、ケース本体１０の側壁１３の上縁内面、および前縁内面にそれぞれ入り込んで、蓋１２が左右方向へずれ動くのを規制している。
【００２２】
上記の蓋閉じ位置から、図４に示すように、蓋１２を９０度開放操作すると、押上げ壁２２が上方揺動して、ケース内に収容したディスクカートリッジＭを押し上げ操作する。この押し上げ操作によって、ディスクカートリッジＭは、前上がり傾動しようとする。しかし、その前面が前規制壁３５で受け止められて傾動規制される。そのため、ディスクカートリッジＭは、僅かに前上がり傾動した姿勢で持ち上げられる。つまり、収容時の姿勢とほぼ平行に昇揚され、底面の全体が底壁１５の上方に持ち上げられる。さらに、押上げ壁２２の後縁の傾きに沿って、隣接するディスクカートリッジＭの上部が階段状に突出する。従って、個々のディスクカートリッジＭの取り出しを簡単に行うことができる。
【００２３】
上記の実施例では、一群のディスクカートリッジＭを押上げ壁２２で直線階段状に押し上げ操作するようにしたが、例えば図７に示すごとく押上げ壁２２の後縁に突部３１と凹部３２とを交互に設けることにより、蓋１２を開いた状態において、隣接するディスクカートリッジＭを凹凸状に突出させてもよい。また、図７の実施例においては、ケース本体１０の後壁１４の内面に区分壁１７を前向きに突設してある。他は先の実施例と同じであるので、同じ部材に同じ符号を付してその説明を省略する。
【００２４】
上記以外に、軸２３は蓋１２の側壁２１側に設け、軸受穴２４をケース本体１０側に設けてもよい。左右に隣接する区分壁１７・１７間には、ディスクカートリッジＭを数個ずつ収納する形態でもよい。図７における凸部３１および凹部３２は、それぞれ２ないし３個のディスクカートリッジＭを同時に押し上げ操作するようにその左右幅を拡大できる。押上げ壁２２の後縁を上方から見たときの平面形状は、突弧状や凹弧状の湾曲形状でもよい。ディスクカートリッジＭの収容個数が少ない場合には、押上げ壁２２の前後長さを幅方向で一定にすることもできる。
【００２５】
【発明の効果】
本発明では、蓋１２の底部に押上げ壁２２を設け、蓋１２を開き操作した状態において、ケース内のディスクカートリッジＭの底面前部を押上げ壁２２で底壁１５の上方へ持ち上げるようにしたので、ディスクカートリッジＭの一群がケース内に左右並列状に収容してある場合にも、目的とする一個のディスクカートリッジＭを列外へずらしながら容易に取り出すことができる。従って、より多くのディスクカートリッジＭを収容することと、ケース内のカートリッジ群から目的のディスクカートリッジＭを簡単に取り出せることとの、相反する要求を同時に満足できる保管ケースが得られる。とくに、押上げ壁２２の前後長さが幅方向において大小に異なっていると、隣接するディスクカートリッジＭを段違い状に持ち上げ操作できるので、個々のディスクカートリッジＭの取り出しがさらに容易になる。
【図面の簡単な説明】
【図１】本発明の実施例を示すもので、蓋を一部開いた状態での保管ケースの縦断側面図である。
【図２】蓋の一部を破断した保管ケースの斜視図である。
【図３】蓋を全開放した状態での縦断正面図である。
【図４】本発明の他の実施例を示すもので、蓋を開放した状態の保管ケースの縦断側面図である。
【図５】蓋を閉じた状態の保管ケースの縦断側面図である。
【図６】蓋を開放した状態の保管ケースの斜視図である。
【図７】保管ケースの別実施例を示す縦断正面図である。
【符号の説明】
１０  ケース本体
１１  出入口
１２  蓋
２２  押上げ壁
２３  軸
Ｍ  ディスクカートリッジ
【図１】
0003762959.tif 000002
【図２】
0003762959.tif 000003
【図３】
0003762959.tif 000004
【図４】
0003762959.tif 000005
【図５】
0003762959.tif 000006
【図６】
0003762959.tif 000007
【図７】
0003762959.tif 000008